(57)【要約】      （修正有）【課題】各種の用紙や書類等を挟持する時、あるいはボードに記録用紙等を挟持して記録を取る時などに使用するクリップを提供する。【解決手段】２つの挟持板を互いに対抗して挟持板の間にピン受けを設け、このピン受け及びバネにピン３を通して回転自在に結合し、バネ力により前記挟持板の先端部に挟持部を構成する。そして、前記挟持板の少なくともいずれか一方の表面に断面がＣ字形で筒状の筆記具保持具を固着し、このＣ字形の筆記具保持具に筆記具を挿入したり引き抜くことにより、筆記具を着脱自在に装着できるようにした。【選択図】図１
0003225715.tif 000002
【実用新案登録請求の範囲】
【請求項１】
２つの挟持板を互いに対抗して回転自在に結合し、バネ力により前記挟持板の先端部に挟持部を構成するクリップにおいて、前記挟持板の少なくともいずれか一方の表面に断面がＣ字形で筒状の筆記具保持具を固着したことを特徴とするクリップ。
【請求項２】
挟持板の１つに紐の一端を固定し、他端に筆記具を着脱自在に装着する筆記具キャップを設けたことを特徴とする請求項１記載のクリップ。
【考案の詳細な説明】
【技術分野】
【０００１】
本考案は各種の用紙や書類等を挟持する時、あるいはボードに記録用紙等を挟持して記録を取る時などに使用するクリップに関するものである。
【背景技術】
【０００２】
この種のクリップとして使用されているものは、その先端部で用紙や書類等を挟持するものが一般的である。一部のクリップにはクリップに筆記具を装着する事例や、ボードを一方の挟持板としバネ機能を有する部材をボードに固定し、記録用紙等を挟持して記録を取る時などに使用するがある。
【先行技術文献】
【特許文献】
【０００３】
【特許文献１】特開２００６−１７５８４３
【特許文献２】実開平０７−４４７９６
【特許文献３】実開平０２−８２５８１
【考案の概要】
【考案が解決しようとする課題】
【０００４】
従来のクリップは、単に用紙や書類等を挟持するだけのものが一般的で、一部に筆記具保持具を具備しているものもあるが、筆記具の太さが固定的で太さが変わると筆記具を保持できなくなる構造となっている。このため、クリップで用紙や書類等を挟持して筆記具が必要な場合に、筆記具が無くて手持ちの筆記具を保持具で保持しようとすると、太さが異なり保持出来なかったり落として探すこともある。
【課題を解決するための手段】
【０００５】
本考案はかかる点に鑑み考案されたもので、簡単な構造で安価に前記課題を解決するクリップに関するものである。
本考案は、２つの挟持板を互いに対抗して回転自在に結合し、バネ力により前記挟持板の先端部に挟持部を構成するクリップにおいて、前記挟持板の少なくともいずれか一方の表面に断面がＣ字形で筒状の筆記具保持具を固着することにより、問題点を解決している。
さらに、本考案は、前記のクリップにおいて、１つの挟持板に紐の一端を固定し、他端に筆記具を着脱自在に装着する筆記具キャップを設けることにより、筆記具の落下や紛失を防止している。
【考案の効果】
【０００６】
上記のように構成した本考案のクリップは、挟持板の先端部で用紙や書類等を挟持できると共に、鉛筆やボールペン等の筆記具を挟持板の表面に固着したＣ字形で筒状の筆記具保持具で確実に保持できる。両方の挟持板の表面にＣ字形で筒状の筆記具保持具を固着したクリップでは２種類の筆記具を保持できる。また、挟持板に紐を固着し、その他端に筆記具を着脱自在に装着する筆記具キャップを設けているので、このキャップに筆記具を装着しておけば筆記具を落としたり無くすことを防止できる。
【図面の簡単な説明】
【０００７】
【図１】本校案の１例を示す斜視図である。
【図２】断面がＣ字形で筒状の筆記具保持具の斜視図である。
【図３】鉛筆を装着した本考案のクリップである。
【図４】本考案のクリップの使用例である。
【考案を実施するための形態】
【０００８】
本考案のクリップは、２つの挟持板を互いに対抗させ挟持板の間に双方のピン受けを設け、このピン受け及びバネにピンを通して回転自在に結合し、バネ力により前記挟持板の先端部に挟持部を構成している。そして、前記挟持板の少なくともいずれか一方の表面に断面がＣ字形で筒状の筆記具保持具を固着し、このＣ字形の筆記具保持具に筆記具を挿入したり引き抜くことにより、筆記具を着脱自在に装着できる。
さらに、本考案のクリップは、挟持板に紐の一端を固定し、他端に筆記具を着脱自在に装着する筆記具キャップを設けるている。この筆記具キャップに筆記具を挿入することにより落下や紛失することを防止している。筆記具キャップは筆記具の先端部も後端部も挿入できる構造としている。
【実施例】
【０００９】
次に、本考案を実施するための形態について、図面を参照しながら具体的に説明する。ただし、以下に示す実施例は、本考案の技術思想を具体化するためのクリップの一例を示すものであって、以下のものに特定するものでない。
図１は金属製のクリップを加工し本考案のクリップ１００を作成したものである。１は上部挟持板、２は下部挟持板でその先端部には上部挟持部４と下部挟持部５があり、各挟持板１，２のぼぼ中央部の両側面に設けたピン受け７にピン３を通すことにより２つの挟持板１，２は結合されている。左右のピン受け７の間には、ピン３にバネ（図示せず）を組み込んであり、バネ力により２つの挟持板１、２の先端部の上部挟持部４と下部挟持部５が締まり、２つの挟持板１，２の後端部が開くようなバネ構造をしている。各挟持板１，２の後端部の間隔を狭めるように押さえると、先端部の上部挟持部４と下部挟持部５が開く。上部挟持板１のピン３挿入部と先端の上部挟持部４の間にＣ字形で筒状の筆記具保持具６を固定している。筆記具はこのＣ字形で筒状の内側に挿入して保持される。筆記具保持具６は弾力性のある材料を採用することにより、Ｃ字の直径に対して太い筆記具でも弾力性があるので確実に保持できる。筆記具保持具６の上部挟持板１への固定方法は、接着してもよいし、保持具取付穴１０を設けてカシメピンを使用してもよいし、ボルト、ナット等で固定してもよい。
【００１０】
上部挟持板1と下部挟持板２の両方にＣ字形で筒状の筆記具保持具６を固定してもよい。このようにすると、ボールペンとマーカーのように２種類の筆記具を保持できる。また、直径の異なる２種類のＣ字形で筒状の筆記具保持具６を使用すると、より多くの太さの筆記具を装着できる。
また、上部挟持板１に紐７を固着し、その他端に筆記具を着脱自在に装着する筆記具キャップ８を取り付けてもよい。この筆記具キャップ８に筆記具を挿入することにより筆記具は紐で連結されていることになり、落としたり紛失することを防止できる。筆記具の使用時には筆記具の後端部を筆記具キャップ８に挿入し、筆記具を使用しないときは先端の筆記部を筆記具キャップ８に挿入して筆記具保持具６に装着しておく。筆記具が使用できなくなったり他種類の筆記具が必要な場合は、筆記具キャップ８と着脱自在にできているので容易に交換できる。
【産業上の利用可能性】
【００１１】
クリップボードを一方の挟持板としバネ機能を有する部材をボードに固着
し、記録用紙等を挟持して記録を取る時などに使用するものが市販されているが、本考案のクリップ１００を使用すれば、堅いボード、または板材があればこの代用ができ、筆記具も装着されているので簡単に、便利で、安価にできる。
また、屋外のスポーツ競技などで市販のクリップボードに記録用紙を挟持して試合経過を記録する場合、風などにより記録用紙がめくれ上がる不具合が起こることがある。このような場合、下端部を本考案のクリップ１００により記録用紙の下端部をクリップボードに挟持すれば、この不具合を防止できるし、筆記具も装着できるので有用である。
【符号の説明】
【００１２】
１  上部挟持板
２  下部挟持板
３  ピン
４  上部挟持部
５  下部挟持部
６  筆記具保持具
７  紐
８  筆記具キャップ
９  取付穴
１０  筆記具
１００  クリップ
【図１】
0003225715.tif 000003
【図２】
0003225715.tif 000004
【図３】
0003225715.tif 000005
【図４】
0003225715.tif 000006